(57)【要約】【課題】熟練者ならずとも、蛤刃の形状を維持したまま手軽に理美容業務に用いられる理美容用鋏の蛤刃を研ぐことができ、かつ古くなった研磨面を新しい研磨面に簡単に交換できるようにした無反動式研磨器及び無反動式研磨方法を提供する。【解決手段】研磨面を有し、かつ可撓性のある少なくとも一つのフィルム状矩形研磨部材と、フィルム状矩形研磨部材の一端部に着脱自在に取り付けられるハンドル部材と、フィルム状矩形研磨部材の他端部に着脱自在に取り付けられる係止部材と、からなり、前記係止部材を被係止部に係止せしめ、前記ハンドル部材を引っ張ることにより前記フィルム状矩形研磨部材の研磨面を平坦化して張力を付与し、平坦化され張力の付与された前記研磨面に蛤刃を押し当てて前記研磨面を沈下せしめ、かつ前記蛤刃を前記研磨面と平行に摺動せしめることにより、前記蛤刃の形状を維持したまま前記蛤刃が研磨されるようにした。【選択図】　図１
2004017271.tif 000002
【特許請求の範囲】
【請求項１】
研磨面を有し、かつ可撓性のある少なくとも一つのフィルム状矩形研磨部材と、フィルム状矩形研磨部材の一端部に着脱自在に取り付けられるハンドル部材と、フィルム状矩形研磨部材の他端部に着脱自在に取り付けられる係止部材と、からなり、前記係止部材を被係止部に係止せしめ、前記ハンドル部材を引っ張ることにより前記フィルム状矩形研磨部材の研磨面を平坦化して張力を付与し、平坦化され張力の付与された前記研磨面に蛤刃を押し当てて前記研磨面を沈下せしめ、かつ前記蛤刃を前記研磨面と平行に摺動せしめることにより、前記蛤刃の形状を維持したまま前記蛤刃が研磨されるようにしたことを特徴とする無反動式研磨器。
【請求項２】
前記フィルム状矩形研磨部材としては、二つの研磨フィルムをその研磨面が外方を向くように互いに向かい合わせて配置するようにしたことを特徴とする請求項１記載の無反動式研磨器。
【請求項３】
請求項１又は２記載の無反動式研磨器を用い、前記係止部材を被係止部に係止せしめ、前記ハンドル部材を引っ張ることにより前記フィルム状矩形研磨部材の研磨面を平坦化して張力を付与し、平坦化され張力の付与された前記研磨面に蛤刃を押し当てて前記研磨面を沈下せしめ、かつ前記蛤刃を前記研磨面と平行に摺動せしめることにより、前記蛤刃の形状を維持したまま前記蛤刃が研磨されるようにしたことを特徴とする無反動式研磨方法。
【発明の詳細な説明】
【０００１】
【発明の属する技術分野】
本発明は、理美容業務において使われる理美容用鋏の蛤刃を研ぐのに好適に用いられる研磨器及び研磨方法であって、熟練者ならずとも手軽に蛤刃を研ぐことができ、かつ古くなった研磨面を新しい研磨面に簡単に交換できるようにした蛤刃用の無反動式研磨器及び無反動式研磨方法に関する。
【０００２】
【関連技術】
従来より、理美容業務においては、その業務に専用に用いられる鋏の刃として、蛤刃がある。
【０００３】
この蛤刃は、丸刃とも呼ばれるもので、刃の鎬から刃先までが丸みをおびるように研ぎ上げられているのが特徴である。
【０００４】
この理美容鋏の蛤刃を研ぐにあたっては、細心の注意が必要であり、特に、刃の鎬から刃先までの丸みを維持しながら研ぐ必要がある。したがって、従来のブロック状の砥石による研磨やグラインダーによる機械研磨では、この丸みを維持するのに、手首をかえしながら研がねばならないなどの必要があり、熟練の技が要求される。
【０００５】
また、このような従来の砥石による研磨やグラインダーによる機械研磨では、研磨の際に発生する反動（ゆりかえし）を受けるため、手元がふらついたりして蛤刃の形状を維持しながら研ぐことはさらに困難となる。このため、研磨の際に研ぎ手が反動を感じない無反動式の研磨器が待ち望まれていた。
【０００６】
さらに、表面に研磨面を被覆したような従来の砥石や研磨器具では、その研磨面が摩耗し古くなってくると、その器具ごと買い換えねばならないという問題があった。さらに、古くなった研磨器具の廃棄場所にも困り、近年の廃棄物処理問題の一原因ともなっていた。
【０００７】
【発明が解決しようとする課題】
本発明は、上記問題点に鑑みてなされたものであり、熟練者ならずとも、蛤刃の形状を維持したまま手軽に理美容業務に用いられる理美容用鋏の蛤刃を研ぐことができ、かつ古くなった研磨面を新しい研磨面に簡単に交換できるようにした無反動式研磨器及び無反動式研磨方法を提供することを目的とする。
【０００８】
【課題を解決するための手段】
本発明者は、蛤刃用の研磨器及びそれを用いた研磨方法について、長年の経験と鋭意検討の結果、フィルム状の矩形研磨部材の一端部を固定し、その他端部を引っ張ることにより平坦化して研磨面に張力を付与し、その研磨面に蛤刃を押し当てて沈下させ、研磨面と平行に摺動させると、研磨の際の反動が発生しないか或いはほとんど発生しないばかりでなく、手首をかえすなどの熟練の技も必要とせずに蛤刃を手軽に研磨することができることを知見し、本提案に及ぶものである。
【０００９】
即ち、上記課題を解決するために、本発明の無反動式研磨器は、研磨面を有し、かつ可撓性のある少なくとも一つのフィルム状矩形研磨部材と、フィルム状矩形研磨部材の一端部に着脱自在に取り付けられるハンドル部材と、フィルム状矩形研磨部材の他端部に着脱自在に取り付けられる係止部材と、からなり、前記係止部材を被係止部に係止せしめ、前記ハンドル部材を引っ張ることにより前記フィルム状矩形研磨部材の研磨面を平坦化して張力を付与し、平坦化され張力の付与された前記研磨面に蛤刃を押し当てて前記研磨面を沈下せしめ、かつ前記蛤刃を前記研磨面と平行に摺動せしめることにより、前記蛤刃の形状を維持したまま前記蛤刃が研磨されるようにしたことを特徴とする。
【００１０】
前記ハンドル部材及び前記係止部材を前記フィルム状矩形研磨部材に着脱自在に取り付ける構成としては、例えば、係止具などを用いて前記フィルム状矩形研磨部材を前記ハンドル部材及び前記係止部材に挟着せしめたり、嵌着又は螺着せしめる構成などが考えられる。
【００１１】
このように着脱自在に構成することにより、前記フィルム状矩形研磨部材の研磨面が摩耗して古くなった場合には、そのフィルム状矩形研磨部材のみを取り外して交換すれば新しい研磨面に簡単に交換することができる。
【００１２】
また、前記フィルム状矩形研磨部材としては、二つの研磨フィルムをその研磨面が外方を向くように互いに向かい合わせて配置するようにするのが好ましく、例えば前記した二つの研磨フィルムの番手が相異なるようにすれば、前記フィルム状矩形研磨部材の表面と裏面とで二種類の番手を使い分けて研ぐことが可能となり、研ぎ手にとって極めて便利である。
【００１３】
さらに、本発明の無反動式研磨方法は、前記のように構成された無反動式研磨器を用い、前記係止部材を被係止部に係止せしめ、前記ハンドル部材を引っ張ることにより前記フィルム状矩形研磨部材の研磨面を平坦化して張力を付与し、平坦化され張力の付与された前記研磨面に蛤刃を押し当てて前記研磨面を沈下せしめ、かつ前記蛤刃を前記研磨面と平行に摺動せしめることにより、前記蛤刃の形状を維持したまま前記蛤刃が研磨されるようにしたことを特徴とする。
【００１４】
このように、平坦化され張力の付与された前記研磨面に蛤刃を押し当てて前記研磨面を沈下せしめ、かつ前記蛤刃を前記研磨面と平行に摺動せしめると、研磨する際の前記研磨面からの反動がほとんど発生しないため、研ぎ手は反動を感じることがなく、そのため手元がふらつくことなく前記蛤刃の形状を維持したまま研磨することが可能となる。
【００１５】
【発明の実施の形態】
以下に本発明の実施の形態を添付図面に基づいて説明するが、本発明の技術思想から逸脱しない限りこれらの実施の形態について種々の変更又は変形が可能なことは言うまでもない。
【００１６】
図１は本発明に係る無反動式研磨器の一つの実施の態様を示す分解斜視図、図２は本発明に係る無反動式研磨器で理美容鋏の蛤刃を研いでいる状態を示す模式図、図３は本発明に係る無反動式研磨器のフィルム状矩形研磨部材に蛤刃をあてた状態をよく示す摘示概略拡大模式図である。
【００１７】
図１において、符号１０は本発明の無反動式研磨器を示す。無反動式研磨器１０は、研磨面１２ａ，１２ｂを有し、かつ可撓性のあるフィルム状矩形研磨部材１４と、フィルム状矩形研磨部材１４の一端部に着脱自在に取り付けられるハンドル部材１６と、フィルム状矩形研磨部材１４の他端部に着脱自在に取り付けられる係止部材１８と、からなっている。
【００１８】
フィルム状矩形研磨部材１４は、番手が相異なる二つの研磨フィルム２０ａ，２０ｂから構成されている。研磨フィルム２０ａ，２０ｂはそれぞれ研磨面１２ａ，１２ｂを有しており、研磨フィルム２０ａ，２０ｂの一端部には、ハンドル部材１６に取り付けるための取付け孔２５ａ，２５ｂが、その他端部には、係止部材１８に取り付けるための取付け孔２５ｃ，２５ｄが、それぞれ設けられている。
【００１９】
研磨フィルム２０ａ，２０ｂの材質としては、例えば、塩化ビニルやポリエチレンなどの合成樹脂や合成繊維に砥粒を固着したものが挙げられるが、それ以外の材質であっても、研磨面を有する可撓性のあるフィルムであれば、適用できることはいうまでもない。
【００２０】
また、ハンドル部材１６は、ハンドル部材本体２２と、ハンドル部材本体２２に取り付けられ指を入れて引っ張るための把持金具２４と、ハンドル部材本体２２に取り付けられフィルム状矩形研磨部材１４を着脱自在に挟持するための留め具２６ａ，２６ｂとを有している。
【００２１】
係止部材１８は、係止部材本体２８と、係止部材１８を被係止部に係止するための係止具３０と、係止具３０と係止部材本体２８とを結合せしめるための結合金具３２と、係止部材本体２８に取り付けられフィルム状矩形研磨部材１４を着脱自在に挟持するための留め具２６ｃ，２６ｄとを有している。
【００２２】
このように着脱自在に構成すれば、フィルム状矩形研磨部材１４の研磨面１２ａ，１２ｂが摩耗して古くなってきたら、そのフィルム状矩形研磨部材１４、すなわち、研磨フィルム２０ａ，２０ｂのいずれかのみを取り外して新しいものと交換すれば新しい研磨面１２ａ，１２ｂに簡単に交換することができる。
【００２３】
このことにより、研磨面１２ａ，１２ｂが摩耗して古くなってきても、古くなった研磨フィルムのみを交換すればよいので、無反動式研磨器１０全体を廃棄する必要がなく、廃棄物処理問題の解決の一助ともなる有利さがある。
【００２４】
また、前記フィルム状矩形研磨部材１４の表面と裏面とで二種類の番手（研磨フィルム２０ａ，２０ｂ）を使い分けて研ぐことが可能となるばかりでなく、研磨フィルム２０ａ，２０ｂを交換することにより、自由にその番手を交換することができる。そのため、例えば、３０μｍの砥粒を用いて粗研磨を行い、１５μｍの砥粒で仕上げ研磨を行ったりすることができるので、研ぎ手にとって極めて便利である。
【００２５】
このように構成された無反動式研磨器１０で、理美容鋏の蛤刃を研いでいるところを図２に示す。図２において、本発明の無反動式研磨器１０の一端部は係止部材１８を介して被係止部３４に係止されている。被係止部３４としては、係止されることが可能なものであればよいもので、その形状や材質などに特別の限定はないことはもちろんである。なお、符号３６は理美容鋏である。
【００２６】
本発明の無反動式研磨器１０の一端部を係止部材１８を介して係止させる場所としては、種々考えられるが、被係止部３４を有する限り特別の限定はない。例えば、椅子の背もたれ、壁、棚や支柱などに引っかけたりして係止すればよいものである。
【００２７】
したがって、被係止部３４を有する限り、どのような場所でも本発明の無反動式研磨器１０を設置して使用することができるので、設置場所に窮することがなく、また、その設置準備に手間がかからず、非常に都合がよい。
【００２８】
さらに、無反動式研磨器１０を使わないときは、フィルム状矩形研磨部材１４が可撓性を有するため、折りたたむことが自在にでき、収納場所にも困ることがない。
【００２９】
図２に示すように、一端部が係止部材１８を介して被係止部３４に係止せしめられた無反動式研磨器１０は、ハンドル部材１６を手４０で引っ張るとフィルム状矩形研磨部材１４の研磨面１２ａ，１２ｂが平坦化され張力が付与される。このとき、ハンドル部材１６をしっかりと引っ張り研磨面１２ａ，１２ｂが弛まないようにして、研磨面１２ａ，１２ｂを平坦化しておく。
【００３０】
図示の例では、研磨面１２ａ，１２ｂを水平に引っ張って平坦化した例を示したが、研磨面１２ａ，１２ｂがしっかりと平坦化されているかぎり、水平以外の方向に引っ張ってもよい。
【００３１】
そして、この平坦化され張力の付与された研磨面１２ｂに、理美容鋏３６の蛤刃４２を押し当てて研磨面１２ｂを沈下せしめると、図３において、仮想線で示した状態となる。
【００３２】
ここで、蛤刃４２を研磨面１２ｂと平行に摺動せしめると、蛤刃４２が研磨される。なお、図示例においては、摺動方向が引っ張り方向と逆方向とされている例を示したが、蛤刃４２の向きや研磨面１２ａ，１２ｂの砥粒の向きなどによっては引っ張り方向と同一方向に摺動せしめることが可能なことはいうまでもない。
【００３３】
このように、平坦化され張力の付与された研磨面１２ｂに理美容鋏３６の蛤刃４２を押し当てて沈下せしめ、研磨面１２ｂと平行に一方向に摺動することにより、蛤刃４２の形状が維持されたまま蛤刃４２が研磨されるのである。
【００３４】
図３に示すように、蛤刃４２は、刃の鎬４６から刃先４８までが丸みをおびて形成されているため、従来は、この丸みを維持して斑なく研ぐには、熟練の技が必要とされた。
【００３５】
例えば、一般的な蛤刃４２の角度は図示のごとく、刃先側で１８°、鎬側で３０°であるが、本発明の無反動式研磨器１０では、仮想線で示したように、刃の鎬４６から刃先４８までが、研磨面１２ｂと接触するため、斑なく研ぐことができる。
【００３６】
また、研磨の際に反動が発生しないので、手元がふらつくことがなく、誰でも手軽に蛤刃の形状を維持したまま研磨することが可能となる。
【００３７】
さらに、可撓性のあるフィルム状矩形研磨部材１４を引っ張ってその研磨面１２ａ，１２ｂを平坦化して張力を与えて研ぐため、手首をかえさずに上記した角度を維持したまま研ぐことができるので、蛤刃４２の形状を維持したまま研磨されることとなる。
【００３８】
【発明の効果】
以上述べた如く、本発明によれば、熟練者ならずとも、蛤刃の形状を維持したまま手軽に理美容業務に用いられる理美容用鋏の蛤刃を研ぐことができ、かつ古くなった研磨面を新しい研磨面に簡単に交換できるようにした無反動式研磨器を提供することができるという大きな効果を奏する。
【００３９】
また、本発明の無反動式研磨方法によれば、熟練者ならずとも、蛤刃の形状を維持したまま手軽に理美容業務に用いられる理美容用鋏の蛤刃を研ぐことができるという効果を奏する。
【図面の簡単な説明】
【図１】本発明に係る無反動式研磨器の一つの実施の態様を示す分解斜視図である。
【図２】本発明に係る無反動式研磨器で理美容鋏の蛤刃を研いでいる状態を示す模式図である。
【図３】本発明に係る無反動式研磨器のフィルム状矩形研磨部材に蛤刃をあてた状態をよく示す摘示概略拡大模式図である。
【符号の説明】
１０：無反動式研磨器、　１２ａ，１２ｂ：研磨面、１４：フィルム状矩形研磨部材、１６：ハンドル部材、１８：係止部材、２０ａ，２０ｂ：研磨フィルム、２２：ハンドル部材本体、２４：把持金具、２５ａ，２５ｂ，２５ｃ，２５ｄ：取付け孔、２６ａ，２６ｂ，２６ｃ，２６ｄ：留め具、２８：係止部材本体、３０：係止具、３２：結合金具、３４：被係止部、３６：理美容鋏、４０：手、４２：蛤刃、４６：鎬、４８：刃先。
【図１】
2004017271.tif 000003
【図２】
2004017271.tif 000004
【図３】
2004017271.tif 000005